(57)【要約】      （修正有）【課題】金具（たとえばバックル等）以外は皮革の外観を有し、しかも伸縮可能な衣料用伸縮ベルトを提供する。【解決手段】装着時に外側に露出する表材１と装着時に身体側に位置する裏材２とに挟持される伸縮性の芯材３ａ、３ｂを有し、表材と裏材とが牛皮にクロム鞣しを施して伸縮性を付与した天然皮革からなり、表材と芯材とが接着材で貼り付けられ、かつ裏材と芯材とが接着材で貼り付けられてなる。【選択図】図２
0003208351.tif 000002
【実用新案登録請求の範囲】
【請求項１】
衣料に用いるベルトであって、装着時に外側に露出する表材と前記装着時に身体側に位置する裏材とに挟持される伸縮性の芯材を有し、前記表材と前記裏材とが牛皮にクロム鞣しを施した天然皮革からなり、前記表材と前記芯材とが接着材で貼り付けられ、かつ前記裏材と前記芯材とが前記接着材で貼り付けられることを特徴とする衣料用伸縮ベルト。
【請求項２】
前記芯材が前記表材側の上段層と前記裏材側の下段層からなる２層構造を有し、前記上段層の幅ＷEXT（mm）と前記下段層の幅ＷINT（mm）がＷEXT＜ＷINTを満足し、かつ前記上段層の厚さＴEXT（mm）と前記下段層の厚さＴINT（mm）がＴEXT＝ＴINTを満足することを特徴とする請求項１に記載の衣料用伸縮ベルト。
【請求項３】
前記上段層と前記下段層とが前記接着材で貼り付けられることを特徴とする請求項２に記載の衣料用伸縮ベルト。
【請求項４】
前記芯材が、ニトリルゴムからなることを特徴とする請求項１〜３のいずれか一項に記載の衣料用伸縮ベルト。
【請求項５】
前記接着材が、トルエンおよびＮヘキサンを含有することを特徴とする請求項１〜４のいずれか一項に記載の衣料用伸縮ベルト。
【請求項６】
前記表材と前記裏材の周縁部を伸縮性を有する糸で縫い合わせることを特徴とする請求項１〜５のいずれか一項に記載の衣料用伸縮ベルト。
【請求項７】
前記糸が、ポリエステルからなることを特徴とする請求項６に記載の衣料用伸縮ベルト。
【考案の詳細な説明】
【技術分野】
【０００１】
本考案は、天然皮革からなる外観を有し、衣料に用いた場合に姿勢の変化等に応じて自在に伸縮するベルトに関するものである。
【背景技術】
【０００２】
衣料に用いるベルトは、従来から様々な素材が使用されており、多種多様なデザインや染色等の要求に対応している。
【０００３】
たとえばビジネスマンが衣料（とりわけズボン）に用いるベルトは、ビジネスマナーの観点から、皮製のベルトが普及している。またスポーツの分野においても、衣料に皮製のベルトを使用する競技（たとえば野球、ゴルフ等）がある。それらのベルトの例を断面図として図４に示す。
【０００４】
従来のベルトは、図４に示すように、装着時に外側に露出する表材１、装着時に身体側に位置する裏材２、および芯材３からなり、表材１と裏材２の端部を糸４で縫い合わせることによって芯材３を内包する構成になっている。その表材１と裏材２は、天然皮革や人造皮革を素材として使用しており、芯材３にも天然皮革や人造皮革を使用するベルトも商品化されている。
【０００５】
化学物質である人造皮革は伸縮しない素材であるから、人造皮革を使用したベルトは長手方向に伸縮性を有していない。
【０００６】
また天然皮革は、図５に示すような牛皮全体６（いわゆる丸皮）で見た場合に、胴体の長さ方向に対して平行に切り取った牛皮７をベルトに加工するのが一般的である。牛皮の繊維は、胴体の長さ方向９（以下、繊維質方向という）に長く伸びているので、その繊維質方向９に揃えて切り取ることによって、多数の牛皮７を容易に切り取ることができるという利点がある。しかし繊維質方向９に対して平行に牛皮７を切り取ってベルトに加工した場合は、牛皮７の繊維がベルトの長手方向に伸びるので、そのベルトは長手方向に伸縮しなくなる。
【０００７】
このような皮製のベルトを衣料に装着すると、ベルトが伸縮しない故に、ビジネスにおける執務中の姿勢の変化や、スポーツにおける身体の動きに起因して、身体の腹部や腰部が締め付けられて苦痛を感じるという問題が発生する。また、食事によっても同様の問題が生じる可能性がある。
そこで、衣料に用いる伸縮可能なベルトが検討されている。
【０００８】
たとえば特許文献１には、繊維質方向９に対して垂直に切り取った牛皮８を用いたベルトが開示されている。このように丸皮６から切り取った牛皮８は、繊維が幅相当の長さに短く切断されるので、長手方向に引っ張った場合に、繊維に垂直な方向に荷重が作用することになり、その結果、伸び易くなる。しかし、丸皮６から牛皮８を切り取るためには多数の繊維を切断しなければならないので、切り取り難いという問題がある。
【０００９】
つまり特許文献１に開示された技術は、丸皮６から牛皮８を切り取る際の作業性の観点から改善の余地が残されていた。
【先行技術文献】
【特許文献】
【００１０】
【特許文献１】実用新案登録第3188048号公報
【考案の概要】
【考案が解決しようとする課題】
【００１１】
本考案は、従来の技術の問題点を解消し、天然皮革からなる帯形状の部材に伸縮性を付与することによって、金具（たとえばバックル等）以外は皮革の外観を有し、しかも伸縮可能なベルトを提供することを目的とする。
【課題を解決するための手段】
【００１２】
本考案者は、丸皮から牛皮を容易に切り取ることが可能になるように、繊維質方向に対して平行に切り取った牛皮（図５中の牛皮７）を用いて、伸縮可能なベルトを製造する技術について検討した。そして、従来のベルトの素材となる牛皮の鞣し剤としてタンニンが使用（いわゆるタンニン鞣し）されていることに着目した。タンニン鞣しを施した牛皮は、鞄等に使用されている通り、伸縮性がないので、衣料用のベルトとして使用しても伸縮性は期待できない。
これに対して、クロム鞣しを施した牛皮は、手袋等に使用されており、良好な伸縮性を備えている。
【００１３】
そこで、クロム鞣しを施した牛皮を表材と裏材に使用したベルトを製作し、数日間にわたって試験的に装着したところ、
(a)吸水性が低く水（たとえば汗、雨水等）をはじき易く、耐久性がある、
(b)柔軟であるから違和感なく装着できる、
等の利点を有することが分かった。
【００１４】
本考案は、これらの知見に基づいてなされたものである。
すなわち本考案は、衣料に用いるベルトであって、装着時に外側に露出する表材と装着時に身体側に位置する裏材とに挟持される伸縮性の芯材を有し、表材と裏材とが牛皮にクロム鞣しを施した天然皮革からなり、表材と芯材とが接着材で貼り付けられ、かつ裏材と芯材とが接着材で貼り付けられる衣料用伸縮ベルトである。
【００１５】
本発明の衣類用伸縮ベルトにおいては、芯材が表材側の上段層と裏材側の下段層からなる２層構造を有し、上段層の幅ＷEXT（mm）と下段層の幅ＷINT（mm）がＷEXT＜ＷINTを満足し、かつ上段層の厚さＴEXT（mm）と下段層の厚さＴINT（mm）がＴEXT＝ＴINTを満足することが好ましい。また、上段層と下段層とが接着材で貼り付けられることが好ましい。芯材として、ニトリルゴムを使用することが好ましく、接着材として、トルエンとＮヘキサンとを含有するものを使用することが好ましい。さらに、表材と裏材の周縁部を、伸縮性を有する糸（たとえばポリエステル）で縫い合わせることが好ましい。
【００１６】
なお、本考案の実用新案登録請求の範囲には、牛皮にクロム鞣しを施した天然皮革という天然皮革の製造方法が記載されている。その天然皮革を構造または特性により直接特定することは、不可能であるか、または、およそ実際的ではないので、実用新案登録請求の範囲に、牛皮にクロム鞣しを施した天然皮革と記載した。
【考案の効果】
【００１７】
本考案によれば、天然皮革からなる帯形状の部材に伸縮性を付与することによって、金具以外は皮革の外観を有し、しかも伸縮可能なベルトを得ることができ、産業上格段の効果を奏する。
【図面の簡単な説明】
【００１８】
【図１】本考案の衣料用伸縮ベルトの例を模式的に示す平面図である。
【図２】図１中のＡ−Ａ矢視の断面図である。
【図３】図１中のＡ−Ａ矢視の断面図である。
【図４】従来の衣料用ベルトの例を模式的に示す断面図である。
【図５】丸皮の例を模式的に示す平面図である。
【考案を実施するための形態】
【００１９】
図１は、本考案の衣料用伸縮ベルトの例を模式的に示す平面図であり、図２は、図１中のＡ−Ａ矢視の断面図である。なお図１においては、金具取り付け端５に取り付けるバックル等の金具は図示を省略し、皮革の外観を有する帯形状の部材のみを示す。
【００２０】
本考案の衣料用伸縮ベルトを装着した時には、表材１が外側に露出し、裏材２が身体側に位置する。天然皮革からなる表材１と裏材２は、丸皮の繊維質方向に対して平行に切り取った牛皮（図５中の牛皮７）、および、繊維質方向に対して垂直に切り取った牛皮（図５中の牛皮８）をいずれも使用できる。
【００２１】
丸皮はクロム鞣しを施したものを使用し、その丸皮から表材１と裏材２を切り取ることによって、クロム鞣しを施した表材１と裏材２が得られる。
クロム鞣しは、塩基性硫酸クロムを鞣し剤として使用する鞣し技術であり、その作業工程や作業条件は確立されている。本考案の衣料用伸縮ベルトの素材となる表材１と裏材２を切り取るための丸皮に施すクロム鞣しは、その従来から公知の作業工程、作業条件を適用する。
【００２２】
芯材３は、ニトリルゴムを使用することが好ましい。ニトリルゴムは、伸縮性に優れており、かつ、後述する接着材によって容易に接着できるので、本考案の衣料用伸縮ベルトの芯材として好適である。
【００２３】
芯材３の形状は、図２に示すように、幅方向の両端部が２段の階段形状を呈する２層構造とすることが好ましい。以下では、２層構造の芯材３の表材１側の層を上段層3a、裏材２側の層を下段層3bとする。
【００２４】
上段層3aの幅ＷEXT（mm）と下段層3bの幅ＷINT（mm）は、ＷEXT＜ＷINTを満足することが好ましい。上段層3aの厚さＴEXT（mm）と下段層3bの厚さＴINT（mm）は、ＴEXT＝ＴINTを満足する好ましい。
【００２５】
なお、図２に示す上段層3aと下段層3bを有する芯材は、単一の部材からなる芯材であるが、図３に示すようにシート状の上段層3aと下段層3bを夫々個別に作成して接着材で貼り付けても良い。
【００２６】
このような上段層3aと下段層3bからなる芯材を採用することによって、表材１と裏材２の周縁部を糸４で縫い合わせる際に、容易に裏材２を平坦に保持しながら、表材１を芯材に沿って山形状に湾曲させることができる。糸４は、伸縮性を有するもの（たとえばポリエステル等）を使用することが好ましい。
【００２７】
図２に示すように単一の部材からなる芯材３を使用する場合は、表材１と裏材２の端部を糸４で縫い合わせるとともに、表材１と芯材３とを接着剤で貼り付け、裏材２と芯材３とを貼り付ける。
【００２８】
図３に示すようにシート状の上段層3aと下段層3bを夫々個別に作成して接着材で貼り付けた芯材３を使用する場合も、表材１と裏材２の端部を糸４で縫い合わせるとともに、表材１と芯材３の上段層3a側とを接着剤で貼り付け、裏材２と芯材３の下段層3b側とを貼り付ける。
【００２９】
接着剤は、トルエンとＮヘキサンとを含有するものを使用することが好ましい。トルエンとＮヘキサンとを含有させることによって、本考案に係る衣料用伸縮ベルトの伸縮に応じて接着剤も伸縮可能であるから、表材１と芯材３の剥離、あるいは裏材２と芯材３の剥離を防止できる。
【００３０】
以上に説明した通り、本考案に係る衣料用伸縮ベルトを構成する表材１、裏材２、芯材３は、いずれも伸縮性に優れており、身体に装着して姿勢を変える、あるいは身体を動かすことによって、皺や弛みを生じることなく自在に伸縮する。
【００３１】
なお、本考案に係る衣料用伸縮ベルトの伸縮を妨げないように、表材と裏材の周縁部を、伸縮性を有する糸（たとえばポリエステル）で縫い合わせることが好ましい。
【実施例】
【００３２】
本考案に係る衣料用伸縮ベルトを製作し、その伸縮性を調査した。以下に、その手順を説明する。
【００３３】
クロム鞣しを施した丸皮の繊維質方向９に対して平行に切り取った表材１と裏材２、および繊維質方向９に対して垂直に切り取った表材１と裏材２を使用し、芯材３は図２に示すように単一の部材からなるもの（幅ＷINT ＝28.5mm、幅ＷEXT＝22mm、厚さＴINT＝１mm、厚さＴEXT＝１mm）を使用して衣料用伸縮ベルト（長さ1200mm、厚さ3.6mm、幅30mm）を１本ずつ（合計２本）製作した。これを実施例１とする。
【００３４】
さらに、クロム鞣しを施した丸皮の繊維質方向９に対して平行に切り取った表材１と裏材２、および繊維質方向９に対して垂直に切り取った表材１と裏材２を使用し、芯材３は図３に示すようにシート状の上段層3aと下段層3bを接着材で貼り付けたもの（幅ＷINT ＝33.5mm、幅ＷEXT＝27mm、厚さＴINT＝１mm、厚さＴEXT＝１mm）を使用して衣料用伸縮ベルト（長さ1200mm、厚さ3.6mm、幅35mm）を１本ずつ（合計２本）製作した。これを実施例２とする。
【００３５】
実施例１および実施例２では、いずれも、芯材３としてニトリルゴムを使用し、接着剤としてトルエンとＮヘキサンとを含有するものを使用し、糸４はポリエステルを使用した。
【００３６】
それらの衣料用伸縮ベルト（合計４本）の両端を、本考案者が右手と左手でそれぞれつかんで長手方向に５回ずつ引っ張って、それぞれの伸びを測定したところ、伸びは６〜７mmであった。
【００３７】
両手を離して引っ張りを開放すると、衣料用伸縮ベルトの長さは全て1200mmに戻り、かつ皺や弛みは認められなかった。
【符号の説明】
【００３８】
１  表材
２  裏材
３  芯材
3a  上段層
3b  下段層
４  糸
５  金具取り付け端
６  丸皮
７  繊維質方向に平行に切り取った牛皮
８  繊維質方向に垂直に切り取った牛皮
９  繊維質方向
【図１】
0003208351.tif 000003
【図２】
0003208351.tif 000004
【図３】
0003208351.tif 000005
【図４】
0003208351.tif 000006
【図５】
0003208351.tif 000007